(57)【特許請求の範囲】
【請求項１】
マット状繊維の表裏両面にネットを固定し、かつ、このネットの少なくとも一側辺を、マット状繊維の一側辺部から同方向に張り出させて成る植生マットを、それの端面を互いに突き合わせて河川の堤防や川原の植生面に設置し、かつ、この植生マットの突き合わせ設置に際して、一方の植生マットの張り出しネット部分を流水方向の下流側に向けて、隣り合う他方の植生マットの辺部を挟み込み、前記張り出しネット部分による他方の植生マットの挟み込み辺部に止め串を打設することを特徴とする緑化工法。
【請求項２】
マット状繊維の表裏両面にネットを固定し、かつ、このネットの少なくとも一側辺を、マット状繊維の一側辺部から同方向に張り出させて成る植生マットを、それの端面を互いに突き合わせて法面の植生面に設置し、かつ、この植生マットの突き合わせ設置に際して、一方の植生マットの張り出しネット部分を法面の傾斜下方に向けて、隣り合う他方の植生マットの辺部を挟み込み、前記張り出しネット部分による他方の植生マットの挟み込み辺部に止め串を打設することを特徴とする緑化工法。
【発明の詳細な説明】
【０００１】
【発明の属する技術分野】
本発明は、河川の堤防や川原、岸辺の植生護岸、その他、山腹法面の緑化工法に関するものである。
【０００２】
【従来の技術】
例えば河川堤防の植生護岸や法面の緑化保護等に際して、従来は図７に示すように、植生面Ｓに植物種子ａを播種する一方、例えばヤシマットや植生シート、ワラゴモなどの被覆保護用の植生マット１１を、その辺部を互いに重ね合わせて植生面Ｓに設置し、或いは、ヤシマットなどに植物種子付きのシートを固定して、これの辺部を互いに重ね合わせて植生面Ｓに設置し、かつ、この植生マット１１の上面部に荒縄１２を縦横に配置する一方、止め串１３によって植生マット１１を植生面Ｓに押さえ付けて、流水や冠水による植生面Ｓの侵食を防止しつつ、植物種子ａの発芽・生育を待つ緑化形態をとっている。
【０００３】
【発明が解決しようとする課題】
ところが、上記の緑化工法では、植生マット１１の辺部を互いに重ね合わせているために、植生マット１１の設置厚みが重ね合わせ部で局部的に厚くなり、植物種子ａの発芽・生育が阻害され易い問題があった。
【０００４】
また、植生マット１１の辺部端面を、流水に逆らうように重ね合わせた場合は、重ね合わせ端面に強い水の抵抗がかゝって、植生マット１１の重ね合わせ辺部が簡単に捲くれ上がってしまい、かつ、辺部が一旦捲くれ上がると、ここに抵抗が集中して、植生マット１１が植生面Ｓから剥がれ易くなり、或いは、植生マット１１を水の流れ方向に沿わせるように重ね合わせたとしても、水がマット端面で強く渦を巻くことで、植生マット１１の重ね合わせ辺部が捲くれ上がり易いもので、植生面Ｓの侵食防止の面で問題があった。
【０００５】
更に、植生マット１１を単に荒縄１２で縦横に押さえ付けているだけであるから、繊維ｂが解れて分散し易く、これが流亡し易い点でも問題があった。
【０００６】
本発明は、かゝる実情に鑑みて成されたものであって、その目的は、上記の不都合が一挙に解消される緑化工法とを提供する点にある。
【０００７】
【課題を解決するための手段】
上記の目的を達成するに至った本発明による緑化工法は、マット状繊維の表裏両面にネットを固定し、かつ、このネットの少なくとも一側辺を、マット状繊維の一側辺部から同方向に張り出させて成る植生マットを、それの端面を互いに突き合わせて河川の堤防や川原の植生面に設置し、かつ、この植生マットの突き合わせ設置に際して、一方の植生マットの張り出しネット部分を流水方向の下流側に向けて、隣り合う他方の植生マットの辺部を挟み込み、前記張り出しネット部分による他方の植生マットの挟み込み辺部に止め串を打設する点に特徴がある（請求項１）。
【０００８】
また、別の観点から本発明による緑化工法は、マット状繊維の表裏両面にネットを固定し、かつ、このネットの少なくとも一側辺を、マット状繊維の一側辺部から同方向に張り出させて成る植生マットを、それの端面を互いに突き合わせて法面の植生面に設置し、かつ、この植生マットの突き合わせ設置に際して、一方の植生マットの張り出しネット部分を法面の傾斜下方に向けて、隣り合う他方の植生マットの辺部を挟み込み、前記張り出しネット部分による他方の植生マットの挟み込み辺部に止め串を打設する点に特徴がある（請求項２）。
【０００９】
上記の緑化工法によれば、植生マットを重ね合わせないで、その端面を突き合わせて植生面に設置するので、植物種子の発芽・生育が阻害されなくなり、植生面全体の均一な植生が可能となる。
【００１０】
また、植生マットの端面を突き合わせているので、出水の際、水は突き合わせ端面の上部をスムースに流れるようになり、従って、流水による植生マットの捲くれ上がりはもとより、捲くれ上がりに伴うマットの植生面からの剥がれが効果的に防止される。
【００１１】
更に、繊維マットの表裏にネットを固定しているので、植生マット自体の強度アップと、ネット間での繊維の移動防止とが達成され、かつ、表面側のネットは繊維の分散と流亡とを防止し、裏面側のネットは植生面への繊維の沈み込みを防止する。
【００１２】
従って、本発明によれば、植生面の侵食が確実に防止される上に、植生面を均一に緑化できる緑化工法が提供されるのである。
【００１３】
【発明の実施の形態】
以下、本発明の実施の形態を図面に基づいて説明する。図１は緑化用の植生マット１を示し、この植生マット１は、マット状繊維２の表裏両面にネット３，４を固定し、かつ、このネット３，４の一側辺を、マット状繊維２の一側辺部から同方向に張り出させ、更に、一方の例えばネット４に、植物種子ａの担持シート５を保持させて成る。
【００１４】
具体的には、下面側に種子担持シート５を保持させた長尺ネット４の上部に、繊維ｂを多孔質の状態（ポーラスな状態）にマット化させたマット状繊維２を乗せ付け、この際、マット状繊維２の端部Ａよりも例えば５〜１０ｃｍ程度、長尺ネット４の幅方向の一側辺を張り出させるように、マット状繊維２と長尺ネット４との幅寸法を設定する。
【００１５】
そして、上記ネット４と同幅のもう一枚の長尺ネット３を、ネット４と幅方向の位置合わせをしてマット状繊維２に被せ、かつ、この三者２〜４を一体に固定するように、樹脂製などの糸６によって三者２〜４を縫合し、これを切断して、例えば幅１ｍ×長さ５ｍ程度の植生マット１を製作している。
【００１６】
上記の繊維ｂとしては、例えば、木毛、麻、ヤシ繊維やワラなどの天然繊維や、ポリエステルやポリプロピレンなどの化学繊維、更には、ポリ乳酸系とか脂肪族ポリエステル系等の生分解性繊維が選択され、これを接着剤やニードルパンチ等によってフェルト状などにマット化させたり、無加工の状態でマット状にしたりして、ネット４上に乗せ付けるものとするが、マット化させた場合は、上記の手順をとることなく、このマット状繊維２をネット３，４で挟み付けて、これを一挙にニードルパンチ等で固定したり、３〜１０ｃｍピッチの粗い縫い目で縫製する等の手段をとることが可能であり、かつ、植物種子の発芽・生育面からは、マット状繊維２の厚みを５〜１０ｍｍ程度にすることが好適である。
【００１７】
また、ネット３，４としては、例えばポリエチレンなどの合成樹脂製や亀甲金網などの金属製のもの、その他、腐食性の繊維製のものが選択されるが、これらを同種のものにして固定する必要性はなく、かつ、ネット３，４を別種にした場合、その強度が異なるものであってもよいが、同程度の強度を持たせることが好ましい。
【００１８】
一方、上記の種子担持シート５は、植物種子の発芽・生育を可能とした水溶性紙や落綿などの腐食性シート７の一側面に、植物種子ａと共に必要に応じて肥料ｃなどを、ポリビニルアルコールなどの水溶性糊剤ｄによって付着保持させて成り、この実施の形態では、ネット張り出し寸法程度、裏面側ネット４の端縁から控えさせて、かつ、種子担持面を外側に向けて、予め裏面側ネット４に保持させているが、裏面側ネット４に後付けしてもよく、かつ、種子担持面をネット４側に向けて保持させてもよいのである。
【００１９】
また、図示は省略するが、植物種子と共に肥料や土壌改良材などを腐食性シート間に挟在させたものを種子担持シート５とし、これをネット４に保持させてもよいのであるが、種子担持シート５を保持させることは必須の要件ではない。
【００２０】
上記構成の植生マット１による緑化の植生に際して、緑化対象の植生面Ｓが河川の堤防や川原である場合は、植生マット１を、図２に示すように、マット状繊維２の一側辺部から同方向に張り出させたネット部分３ａ，４ａを、流水方向Ｒの下流側に向けて、かつ、種子担持シート５を植生面Ｓに向けて設置し、緑化対象の植生面Ｓが山腹法面である場合は、図３に示すように、張り出しネット部分３ａ，４ａを法面の傾斜下方に向けて設置するのである。
【００２１】
この際、図４に示すように、植生マット１の端部Ａを互いに突き合わせて設置するのであるが、この突き合わせ設置に際して、一方の植生マット１の張り出しネット部分３ａ，４ａによって、隣り合う他方の植生マット１の辺部を挟み込み、かつ、このネット部分３ａ，４ａによる他方の植生マット１の挟み込み辺部と、これに突き合わせる一方の植生マット１の辺部とにわたって、例えば、３０〜１００ｃｍピッチでコの字状の止め串８を打設するのである。
【００２２】
上記の緑化工法によれば、従来のように、植生マット１を重ね合わせないで、その端面Ａ，Ａを互いに突き合わせて植生面Ｓに設置するので、植物種子ａの発芽・生育が阻害されなくなり、植生面Ｓ全体の均一な緑化植生を期待することができる。
【００２３】
また、植生マット１の端面Ａ，Ａを互いに突き合わせたことで、隣り合う植生マット１，１間には段部が形成されなくなり、これによって、出水の際、水は突き合わせ端面Ａ，Ａの上部をスムースに流れるようになり、しかも、張り出しネット部分３ａ，４ａを流水方向Ｒの下流側または法面の傾斜下方に向けることで、水の流れは一層スムースとなり、従って、流水による植生マット１の捲くれ上がりはもとより、捲くれ上がりに伴う植生マット１の植生面Ｓからの剥がれが効果的に防止されるのである。
【００２４】
更に、植生マット１としては、マット状繊維２の表裏に固定したネット３，４によって強度アップされる上に、ネット３，４間での繊維ｂの移動も確実に防止されるのであり、加えて、表面側のネット３が繊維ｂの分散と流亡を防止し、かつ、裏面側のネット４が繊維ｂの沈み込みを防止することから、流水や冠水による植生面Ｓの侵食は、この植生マット１によって確実に防止されるのであり、後は植物種子ａの発芽・生育を待つことで、植生面Ｓの緑化が好適に達成されるのである。
【００２５】
尚、種子担持シート５を植生マット１に保持させない場合は、上記した各種構成の種子担持シート５を予め植生面Ｓに設置することが好ましいが、現地種子の発芽・生育による緑化を期し得ることから、種子担持シート５を一切設置しない緑化形態をとってもよいのである。また、予め植生面Ｓに植物種子・肥料等を散布した上に、植生マット１を被覆設置することも好適である。
【００２６】
そして、実施の形態では、止め串８をコの字状としているが、図７に示した単純な形状の止め串であっても十分であり、必要に応じて植生マット１の上部に、荒縄を縦横に配置してもよいのである。
【００２７】
更に、植生マット１として、これの幅方向の一側辺にネット部分３ａ，４ａを張り出させているが、植生マット１の幅方向の両側辺や四側辺にネット部分を張り出させてもよく、この際、図５に示すように、端部Ａを突き合わせる一方の植生マット１のネット部分３ａ，４ａを折り返して、これに他方の植生マット１のネット部分３ａ，４ａを被せる形態をとるものとするが、図６に示すように、ネット部分の張り出しがない植生マット１Ａを別途用意して、植生マット１，１Ａを一枚置きに突き合わせ設置する形態をとってもよいのである。
【００２８】
この他にも、図示は省略するが、幅方向の両側辺にネット部分を張り出させた植生マットと、長手方向の両側辺にネット部分を張り出させた植生マットとを用意して、この植生マットを互いに隣り合わせに突き合わせ設置すれば、植生マットの四側辺を張り出しネット部分によって互いに連結する形態をとることができる。
【００２９】
或いは、四側辺にネット部分を張り出させた植生マットと、ネット部分の張り出しがない植生マットとを、互いに隣り合わせて設置することによっても、植生マットの四側辺を張り出しネット部分で連結する形態をとることができるのであり、この際、植生マットを正四角形にすると、植生マットの設置の方向性が問われなくて好適である。
【００３０】
【発明の効果】
以上説明したように、植生マット自体の強度アップに加えて、繊維の移動と分散・流亡、並びに、繊維の沈み込みが確実に防止されるとともに、植物種子の発芽・生育が阻害されず、しかも、流水などによって植生マットが植生面から剥がされ難く、従って、緑化面ならびに侵食防止面で好適な緑化工法が提供されるのである。
【図面の簡単な説明】
【図１】  本発明による緑化工法で用いた、表面側のネットならびに種子担持シートの一部を捲って示す植生マットの斜視図である。
【図２】  河川の堤防などを植生面とした植生マットの設置説明図である。
【図３】  山腹法面を植生面とした植生マットの設置説明図である。
【図４】  植生マットの端部突き合わせ設置の説明図である。
【図５】  別の実施の形態で用いた植生マットの端部突き合わせ設置の説明図である。
【図６】  更に別の実施の形態で用いた植生マットの端部突き合わせ設置の説明図である。
【図７】  従来例で用いた植生マットの設置説明図である。
【符号の説明】
１…植生マット、２…マット状繊維、３，４…ネット、３ａ，４ａ…張り出しネット部分、８…止め串、Ａ…端面、Ｓ…植生面、Ｒ…流水方向。
【図１】
0004169856.tif 000002
【図２】
0004169856.tif 000003
【図３】
0004169856.tif 000004
【図４】
0004169856.tif 000005
【図５】
0004169856.tif 000006
【図６】
0004169856.tif 000007
【図７】
0004169856.tif 000008